(57)【要約】【課題】機能水を主成分とするガソリン添加剤による燃費向上の技術に関する。【解決手段】鉱石等粉混合体製造第一工程では、鉱石等０１０１を粉末０１０２として所定の混合比にて混合し、鉱石等粉混合体０１０３を得る。鉱石等粉混合体詰入第二工程では、鉱石等粉混合体を容器０１０５に詰入する。機能水製造第三工程では、水０１０４を前記容器に近接させて配置された水槽０１０６に所定時間保持する。最後に、ガソリン添加剤製造最終工程では、所定時間経過後水槽より取り出して得た機能水０１０７にトレハロースその他０１０８を所定の割合にて混合してガソリン添加剤を得る。【選択図】図１
2011105815.tif 000002
【特許請求の範囲】
【請求項１】
ガソリン添加剤を製造する方法であって、
翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部とを、各粉末成分の混合量誤差がプラスマイナス１０％以内となる混合比にて混合することにより鉱石等粉混合体を製造する鉱石等粉混合体製造第一工程と、
前記鉱石等粉混合体を容器に詰入する鉱石等粉混合体詰入第二工程と、
前記容器に近接させて配置された水槽に水を所定時間保持して機能水を製造する機能水製造第三工程と、
前記機能水１００部と、トレハロース８部と、エタノール３０部と、日本酒２０部と、白砂糖８部と、葡萄酒６部と、葡萄糖３部と、酢１部と、カルシウム０．５部とを、各成分の混合量誤差がプラスマイナス１０％以内の混合比にて混合することによりガソリン添加剤を製造するガソリン添加剤製造最終工程
からなるガソリン添加剤製造方法。
【請求項２】
ガソリン添加剤を製造する方法であって、
翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部と、蛇紋岩を粉末とした蛇紋岩粉末２８０部と、瑪瑙を粉末とした瑪瑙粉末２８０部と、黒雲母を粉末とした黒雲母粉末２８０部と、アマゾナイトを粉末としたアマゾナイト粉末２８０部と、ペリドットを粉末としたペリドット粉末２８０部と、トパーズを粉末としたトパーズ粉末２６０部と、シラスを粉末としたシラス粉末２４０部と、アルミナを粉末としたアルミナ粉末２３０部と、ジルコンを粉末としたジルコン粉末２００部とを、各粉末成分の混合量誤差がプラスマイナス１０％以内となる混合比にて混合することにより鉱石等粉混合体を製造する鉱石等粉混合体製造第一工程と、
前記鉱石等粉混合体を容器に詰入する鉱石等粉混合体詰入第二工程と、
前記容器に近接させて配置された水槽に水を所定時間保持して機能水を製造する機能水製造第三工程と、
前記機能水１００部と、トレハロース８部と、エタノール３０部と、日本酒２０部と、白砂糖８部と、葡萄酒６部と、葡萄糖３部と、酢１部と、カルシウム０．５部とを、各成分の混合量誤差がプラスマイナス１０％以内の混合比にて混合することによりガソリン添加剤を製造するガソリン添加剤製造最終工程
からなるガソリン添加剤製造方法。
【請求項３】
ガソリン添加剤を製造する方法であって、
翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部と、蛇紋岩を粉末とした蛇紋岩粉末２８０部と、瑪瑙を粉末とした瑪瑙粉末２８０部と、黒雲母を粉末とした黒雲母粉末２８０部と、アマゾナイトを粉末としたアマゾナイト粉末２８０部と、ペリドットを粉末としたペリドット粉末２８０部と、トパーズを粉末としたトパーズ粉末２６０部と、シラスを粉末としたシラス粉末２４０部と、アルミナを粉末としたアルミナ粉末２３０部と、ジルコンを粉末としたジルコン粉末２００部と、白雲母を粉末とした白雲母粉末２００部と、アランダムを粉末としたアランダム粉末１８０部と、菊花石を粉末とした菊花石粉末１８０部と、ロードナイトを粉末としたロードナイト粉末１８０部と、カオリンを粉末としたカオリン粉末１８０部と、コーライトを粉末としたコーライト粉末１８０部と、タイガーアイを粉末としたタイガーアイ粉末１８０部と、シリコンウエハを粉末としたシリコンウエハ粉末１６０部と、大理石を粉末とした大理石粉末１５０部とを、各粉末成分の混合量誤差がプラスマイナス１０％以内となる混合比にて混合することにより鉱石等粉混合体を製造する鉱石等粉混合体製造第一工程と、
前記鉱石等粉混合体を容器に詰入する鉱石等粉混合体詰入第二工程と、
前記容器に近接させて配置された水槽に水を所定時間保持して機能水を製造する機能水製造第三工程と、
前記機能水１００部と、トレハロース８部と、エタノール３０部と、日本酒２０部と、白砂糖８部と、葡萄酒６部と、葡萄糖３部と、酢１部と、カルシウム０．５部とを、各成分の混合量誤差がプラスマイナス１０％以内の混合比にて混合することによりガソリン添加剤を製造するガソリン添加剤製造最終工程
からなるガソリン添加剤製造方法。
【請求項４】
ガソリン添加剤を製造する方法であって、
翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部と、蛇紋岩を粉末とした蛇紋岩粉末２８０部と、瑪瑙を粉末とした瑪瑙粉末２８０部と、黒雲母を粉末とした黒雲母粉末２８０部と、アマゾナイトを粉末としたアマゾナイト粉末２８０部と、ペリドットを粉末としたペリドット粉末２８０部と、トパーズを粉末としたトパーズ粉末２６０部と、シラスを粉末としたシラス粉末２４０部と、アルミナを粉末としたアルミナ粉末２３０部と、ジルコンを粉末としたジルコン粉末２００部と、白雲母を粉末とした白雲母粉末２００部と、アランダムを粉末としたアランダム粉末１８０部と、菊花石を粉末とした菊花石粉末１８０部と、ロードナイトを粉末としたロードナイト粉末１８０部と、カオリンを粉末としたカオリン粉末１８０部と、コーライトを粉末としたコーライト粉末１８０部と、タイガーアイを粉末としたタイガーアイ粉末１８０部と、シリコンウエハを粉末としたシリコンウエハ粉末１６０部と、大理石を粉末とした大理石粉末１５０部と、蛍石を粉末とした蛍石粉末１５０部と、ヘマタイトを粉末としたヘマタイト粉末１５０部と、ニッケルを粉末としたニッケル粉末１５０部と、水晶を粉末とした水晶粉末１３０部と、マンガンを粉末としたマンガン粉末１３０部と、珪石を粉末とした珪石粉末１２０部と、オニキスを粉末としたオニキス粉末１２０部と、麦飯石を粉末とした麦飯石１００部と、珪藻土を粉末とした珪藻土粉末１００部とを、各粉末成分の混合量誤差がプラスマイナス１０％以内となる混合比にて混合することにより鉱石等粉混合体を製造する鉱石等粉混合体製造第一工程と、
前記鉱石等粉混合体を容器に詰入する鉱石等粉混合体詰入第二工程と、
前記容器に近接させて配置された水槽に水を所定時間保持して機能水を製造する機能水製造第三工程と、
前記機能水１００部と、トレハロース８部と、エタノール３０部と、日本酒２０部と、白砂糖８部と、葡萄酒６部と、葡萄糖３部と、酢１部と、カルシウム０．５部とを、各成分の混合量誤差がプラスマイナス１０％以内の混合比にて混合することによりガソリン添加剤を製造するガソリン添加剤製造最終工程
からなるガソリン添加剤製造方法。
【請求項５】
ガソリン添加剤を製造する方法であって、
翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部と、蛇紋岩を粉末とした蛇紋岩粉末２８０部と、瑪瑙を粉末とした瑪瑙粉末２８０部と、黒雲母を粉末とした黒雲母粉末２８０部と、アマゾナイトを粉末としたアマゾナイト粉末２８０部と、ペリドットを粉末としたペリドット粉末２８０部と、トパーズを粉末としたトパーズ粉末２６０部と、シラスを粉末としたシラス粉末２４０部と、アルミナを粉末としたアルミナ粉末２３０部と、ジルコンを粉末としたジルコン粉末２００部と、白雲母を粉末とした白雲母粉末２００部と、アランダムを粉末としたアランダム粉末１８０部と、菊花石を粉末とした菊花石粉末１８０部と、ロードナイトを粉末としたロードナイト粉末１８０部と、カオリンを粉末としたカオリン粉末１８０部と、コーライトを粉末としたコーライト粉末１８０部と、タイガーアイを粉末としたタイガーアイ粉末１８０部と、シリコンウエハを粉末としたシリコンウエハ粉末１６０部と、大理石を粉末とした大理石粉末１５０部と、蛍石を粉末とした蛍石粉末１５０部と、ヘマタイトを粉末としたヘマタイト粉末１５０部と、ニッケルを粉末としたニッケル粉末１５０部と、水晶を粉末とした水晶粉末１３０部と、マンガンを粉末としたマンガン粉末１３０部と、珪石を粉末とした珪石粉末１２０部と、オニキスを粉末としたオニキス粉末１２０部と、麦飯石を粉末とした麦飯石１００部と、珪藻土を粉末とした珪藻土粉末１００部と、松脂を粉末とした松脂粉末９０部と、ボルダーオパールを粉末としたボルダーオパール粉末８０部と、活性炭を粉末とした活性炭粉末８０部と、滋賀白を粉末とした滋賀石粉末８０部と、カーボランダムを粉末としたカーボンランダム粉末６０部と、金を粉末とした金粉末５０部と、コージェライトを粉末としたコージュライト粉末４０部と、アイオライトを粉末としたアイオライト粉末３０部と、ルビーを粉末としたルビー粉末２４部とを、各粉末成分の混合量誤差がプラスマイナス１０％以内となる混合比にて混合することにより鉱石等粉混合体を製造する鉱石等粉混合体製造第一工程と、
前記鉱石等粉混合体を容器に詰入する鉱石等粉混合体詰入第二工程と、
前記容器に近接させて配置された水槽に水を所定時間保持して機能水を製造する機能水製造第三工程と、
前記機能水１００部と、トレハロース８部と、エタノール３０部と、日本酒２０部と、白砂糖８部と、葡萄酒６部と、葡萄糖３部と、酢１部と、カルシウム０．５部とを、各成分の混合量誤差がプラスマイナス１０％以内の混合比にて混合することによりガソリン添加剤を製造するガソリン添加剤製造最終工程
からなるガソリン添加剤製造方法。
【請求項６】
ガソリン添加剤を製造する方法であって、
翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部と、蛇紋岩を粉末とした蛇紋岩粉末２８０部と、瑪瑙を粉末とした瑪瑙粉末２８０部と、黒雲母を粉末とした黒雲母粉末２８０部と、アマゾナイトを粉末としたアマゾナイト粉末２８０部と、ペリドットを粉末としたペリドット粉末２８０部と、トパーズを粉末としたトパーズ粉末２６０部と、シラスを粉末としたシラス粉末２４０部と、アルミナを粉末としたアルミナ粉末２３０部と、ジルコンを粉末としたジルコン粉末２００部と、白雲母を粉末とした白雲母粉末２００部と、アランダムを粉末としたアランダム粉末１８０部と、菊花石を粉末とした菊花石粉末１８０部と、ロードナイトを粉末としたロードナイト粉末１８０部と、カオリンを粉末としたカオリン粉末１８０部と、コーライトを粉末としたコーライト粉末１８０部と、タイガーアイを粉末としたタイガーアイ粉末１８０部と、シリコンウエハを粉末としたシリコンウエハ粉末１６０部と、大理石を粉末とした大理石粉末１５０部と、蛍石を粉末とした蛍石粉末１５０部と、ヘマタイトを粉末としたヘマタイト粉末１５０部と、ニッケルを粉末としたニッケル粉末１５０部と、水晶を粉末とした水晶粉末１３０部と、マンガンを粉末としたマンガン粉末１３０部と、珪石を粉末とした珪石粉末１２０部と、オニキスを粉末としたオニキス粉末１２０部と、麦飯石を粉末とした麦飯石１００部と、珪藻土を粉末とした珪藻土粉末１００部と、松脂を粉末とした松脂粉末９０部と、ボルダーオパールを粉末としたボルダーオパール粉末８０部と、活性炭を粉末とした活性炭粉末８０部と、滋賀白を粉末とした滋賀石粉末８０部と、カーボランダムを粉末としたカーボンランダム粉末６０部と、金を粉末とした金粉末５０部と、コージェライトを粉末としたコージュライト粉末４０部と、アイオライトを粉末としたアイオライト粉末３０部と、ルビーを粉末としたルビー粉末２４部と、亜鉛を粉末とした亜鉛粉末９０部と、白墨を粉末とした白墨粉末８０部と、酸化白金を粉末とした酸化白金粉末８０部とを、各粉末成分の混合量誤差がプラスマイナス１０％以内となる混合比にて混合することにより鉱石等粉混合体を製造する鉱石等粉混合体製造第一工程と、
前記鉱石等粉混合体を容器に詰入する鉱石等粉混合体詰入第二工程と、
前記容器に近接させて配置された水槽に水を所定時間保持して機能水を製造する機能水製造第三工程と、
前記機能水１００部と、トレハロース８部と、エタノール３０部と、日本酒２０部と、白砂糖８部と、葡萄酒６部と、葡萄糖３部と、酢１部と、カルシウム０．５部とを、各成分の混合量誤差がプラスマイナス１０％以内の混合比にて混合することによりガソリン添加剤を製造するガソリン添加剤製造最終工程
からなるガソリン添加剤製造方法。
【請求項７】
翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部とが、各粉末成分の混合量誤差がプラスマイナス１０％以内となる混合比にて混合されてなる鉱石等粉混合体を詰入した容器に近接させて配置された水槽に水を所定時間保持して得た機能水１００部と、
トレハロース８部と、
エタノール３０部と、
日本酒２０部と、
白砂糖８部と、
葡萄酒６部と、
葡萄糖３部と、
酢１部と、
カルシウム０．５部とを、
各成分の混合量誤差がプラスマイナス１０％以内の混合比にて混合してなるガソリン添加剤。
【請求項８】
翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部と、蛇紋岩を粉末とした蛇紋岩粉末２８０部と、瑪瑙を粉末とした瑪瑙粉末２８０部と、黒雲母を粉末とした黒雲母粉末２８０部と、アマゾナイトを粉末としたアマゾナイト粉末２８０部と、ペリドットを粉末としたペリドット粉末２８０部と、トパーズを粉末としたトパーズ粉末２６０部と、シラスを粉末としたシラス粉末２４０部と、アルミナを粉末としたアルミナ粉末２３０部と、ジルコンを粉末としたジルコン粉末２００部とが、各粉末成分の混合量誤差がプラスマイナス１０％以内となる混合比にて混合されてなる鉱石等粉混合体を詰入した容器に近接させて配置された水槽に水を所定時間保持して得た機能水１００部と、
トレハロース８部と、
エタノール３０部と、
日本酒２０部と、
白砂糖８部と、
葡萄酒６部と、
葡萄糖３部と、
酢１部と、
カルシウム０．５部とを、
各成分の混合量誤差がプラスマイナス１０％以内の混合比にて混合してなるガソリン添加剤。
【請求項９】
翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部と、蛇紋岩を粉末とした蛇紋岩粉末２８０部と、瑪瑙を粉末とした瑪瑙粉末２８０部と、黒雲母を粉末とした黒雲母粉末２８０部と、アマゾナイトを粉末としたアマゾナイト粉末２８０部と、ペリドットを粉末としたペリドット粉末２８０部と、トパーズを粉末としたトパーズ粉末２６０部と、シラスを粉末としたシラス粉末２４０部と、アルミナを粉末としたアルミナ粉末２３０部と、ジルコンを粉末としたジルコン粉末２００部と、白雲母を粉末とした白雲母粉末２００部と、アランダムを粉末としたアランダム粉末１８０部と、菊花石を粉末とした菊花石粉末１８０部と、ロードナイトを粉末としたロードナイト粉末１８０部と、カオリンを粉末としたカオリン粉末１８０部と、コーライトを粉末としたコーライト粉末１８０部と、タイガーアイを粉末としたタイガーアイ粉末１８０部と、シリコンウエハを粉末としたシリコンウエハ粉末１６０部と、大理石を粉末とした大理石粉末１５０部とが、各粉末成分の混合量誤差がプラスマイナス１０％以内となる混合比にて混合されてなる鉱石等粉混合体を詰入した容器に近接させて配置された水槽に水を所定時間保持して得た機能水１００部と、
トレハロース８部と、
エタノール３０部と、
日本酒２０部と、
白砂糖８部と、
葡萄酒６部と、
葡萄糖３部と、
酢１部と、
カルシウム０．５部とを、
各成分の混合量誤差がプラスマイナス１０％以内の混合比にて混合してなるガソリン添加剤。
【請求項１０】
翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部と、蛇紋岩を粉末とした蛇紋岩粉末２８０部と、瑪瑙を粉末とした瑪瑙粉末２８０部と、黒雲母を粉末とした黒雲母粉末２８０部と、アマゾナイトを粉末としたアマゾナイト粉末２８０部と、ペリドットを粉末としたペリドット粉末２８０部と、トパーズを粉末としたトパーズ粉末２６０部と、シラスを粉末としたシラス粉末２４０部と、アルミナを粉末としたアルミナ粉末２３０部と、ジルコンを粉末としたジルコン粉末２００部と、白雲母を粉末とした白雲母粉末２００部と、アランダムを粉末としたアランダム粉末１８０部と、菊花石を粉末とした菊花石粉末１８０部と、ロードナイトを粉末としたロードナイト粉末１８０部と、カオリンを粉末としたカオリン粉末１８０部と、コーライトを粉末としたコーライト粉末１８０部と、タイガーアイを粉末としたタイガーアイ粉末１８０部と、シリコンウエハを粉末としたシリコンウエハ粉末１６０部と、大理石を粉末とした大理石粉末１５０部と、蛍石を粉末とした蛍石粉末１５０部と、ヘマタイトを粉末としたヘマタイト粉末１５０部と、ニッケルを粉末としたニッケル粉末１５０部と、水晶を粉末とした水晶粉末１３０部と、マンガンを粉末としたマンガン粉末１３０部と、珪石を粉末とした珪石粉末１２０部と、オニキスを粉末としたオニキス粉末１２０部と、麦飯石を粉末とした麦飯石１００部と、珪藻土を粉末とした珪藻土粉末１００部とが、各粉末成分の混合量誤差がプラスマイナス１０％以内となる混合比にて混合されてなる鉱石等粉混合体を詰入した容器に近接させて配置された水槽に水を所定時間保持して得た機能水１００部と、
トレハロース８部と、
エタノール３０部と、
日本酒２０部と、
白砂糖８部と、
葡萄酒６部と、
葡萄糖３部と、
酢１部と、
カルシウム０．５部とを、
各成分の混合量誤差がプラスマイナス１０％以内の混合比にて混合してなるガソリン添加剤。
【請求項１１】
翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部と、蛇紋岩を粉末とした蛇紋岩粉末２８０部と、瑪瑙を粉末とした瑪瑙粉末２８０部と、黒雲母を粉末とした黒雲母粉末２８０部と、アマゾナイトを粉末としたアマゾナイト粉末２８０部と、ペリドットを粉末としたペリドット粉末２８０部と、トパーズを粉末としたトパーズ粉末２６０部と、シラスを粉末としたシラス粉末２４０部と、アルミナを粉末としたアルミナ粉末２３０部と、ジルコンを粉末としたジルコン粉末２００部と、白雲母を粉末とした白雲母粉末２００部と、アランダムを粉末としたアランダム粉末１８０部と、菊花石を粉末とした菊花石粉末１８０部と、ロードナイトを粉末としたロードナイト粉末１８０部と、カオリンを粉末としたカオリン粉末１８０部と、コーライトを粉末としたコーライト粉末１８０部と、タイガーアイを粉末としたタイガーアイ粉末１８０部と、シリコンウエハを粉末としたシリコンウエハ粉末１６０部と、大理石を粉末とした大理石粉末１５０部と、蛍石を粉末とした蛍石粉末１５０部と、ヘマタイトを粉末としたヘマタイト粉末１５０部と、ニッケルを粉末としたニッケル粉末１５０部と、水晶を粉末とした水晶粉末１３０部と、マンガンを粉末としたマンガン粉末１３０部と、珪石を粉末とした珪石粉末１２０部と、オニキスを粉末としたオニキス粉末１２０部と、麦飯石を粉末とした麦飯石１００部と、珪藻土を粉末とした珪藻土粉末１００部と、松脂を粉末とした松脂粉末９０部と、ボルダーオパールを粉末としたボルダーオパール粉末８０部と、活性炭を粉末とした活性炭粉末８０部と、滋賀白を粉末とした滋賀石粉末８０部と、カーボランダムを粉末としたカーボンランダム粉末６０部と、金を粉末とした金粉末５０部と、コージェライトを粉末としたコージュライト粉末４０部と、アイオライトを粉末としたアイオライト粉末３０部と、ルビーを粉末としたルビー粉末２４部とが、各粉末成分の混合量誤差がプラスマイナス１０％以内となる混合比にて混合されてなる鉱石等粉混合体を詰入した容器に近接させて配置された水槽に水を所定時間保持して得た機能水１００部と、
トレハロース８部と、
エタノール３０部と、
日本酒２０部と、
白砂糖８部と、
葡萄酒６部と、
葡萄糖３部と、
酢１部と、
カルシウム０．５部とを、
各成分の混合量誤差がプラスマイナス１０％以内の混合比にて混合してなるガソリン添加剤。
【請求項１２】
翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部と、蛇紋岩を粉末とした蛇紋岩粉末２８０部と、瑪瑙を粉末とした瑪瑙粉末２８０部と、黒雲母を粉末とした黒雲母粉末２８０部と、アマゾナイトを粉末としたアマゾナイト粉末２８０部と、ペリドットを粉末としたペリドット粉末２８０部と、トパーズを粉末としたトパーズ粉末２６０部と、シラスを粉末としたシラス粉末２４０部と、アルミナを粉末としたアルミナ粉末２３０部と、ジルコンを粉末としたジルコン粉末２００部と、白雲母を粉末とした白雲母粉末２００部と、アランダムを粉末としたアランダム粉末１８０部と、菊花石を粉末とした菊花石粉末１８０部と、ロードナイトを粉末としたロードナイト粉末１８０部と、カオリンを粉末としたカオリン粉末１８０部と、コーライトを粉末としたコーライト粉末１８０部と、タイガーアイを粉末としたタイガーアイ粉末１８０部と、シリコンウエハを粉末としたシリコンウエハ粉末１６０部と、大理石を粉末とした大理石粉末１５０部と、蛍石を粉末とした蛍石粉末１５０部と、ヘマタイトを粉末としたヘマタイト粉末１５０部と、ニッケルを粉末としたニッケル粉末１５０部と、水晶を粉末とした水晶粉末１３０部と、マンガンを粉末としたマンガン粉末１３０部と、珪石を粉末とした珪石粉末１２０部と、オニキスを粉末としたオニキス粉末１２０部と、麦飯石を粉末とした麦飯石１００部と、珪藻土を粉末とした珪藻土粉末１００部と、松脂を粉末とした松脂粉末９０部と、ボルダーオパールを粉末としたボルダーオパール粉末８０部と、活性炭を粉末とした活性炭粉末８０部と、滋賀白を粉末とした滋賀石粉末８０部と、カーボランダムを粉末としたカーボンランダム粉末６０部と、金を粉末とした金粉末５０部と、コージェライトを粉末としたコージュライト粉末４０部と、アイオライトを粉末としたアイオライト粉末３０部と、ルビーを粉末としたルビー粉末２４部と、亜鉛を粉末とした亜鉛粉末９０部と、白墨を粉末とした白墨粉末８０部と、酸化白金を粉末とした酸化白金粉末８０部とが、各粉末成分の混合量誤差がプラスマイナス１０％以内となる混合比にて混合されてなる鉱石等粉混合体を詰入した容器に近接させて配置された水槽に水を所定時間保持して得た機能水１００部と、
トレハロース８部と、
エタノール３０部と、
日本酒２０部と、
白砂糖８部と、
葡萄酒６部と、
葡萄糖３部と、
酢１部と、
カルシウム０．５部とを、
各成分の混合量誤差がプラスマイナス１０％以内の混合比にて混合してなるガソリン添加剤。
【請求項１３】
請求項１から６に記載のガソリン添加剤製造方法の一のガソリン添加剤製造方法により製造されたガソリン添加剤３部と、ガソリン１００部とを、各成分の混合量誤差がプラスマイナス１０％以内の混合比にて混合する添加剤入りガソリン製造方法。
【請求項１４】
請求項７から１２に記載のガソリン添加剤の一のガソリン添加剤３部と、ガソリン１００部とを、各成分の混合量誤差がプラスマイナス１０％以内の混合比にて混合してなる添加剤入りガソリン。
【発明の詳細な説明】
【技術分野】
【０００１】
本発明は、水質改善された機能水を主成分としてなるガソリン添加剤によりガソリン・エンジンの燃費を向上させる技術に関する。
【背景技術】
【０００２】
近年、水に対して人工的に機能を付加した「機能水」と呼ばれる水が家庭用、業務用、産業用と様々な場面で利用されている。例えば、家庭用としては飲料・調理用水に利用されている。また業務用としては食材や機械の洗浄、医療機関での消毒・殺菌、ビル等での防錆、農業分野での栽培用水、畜産用水に利用されている。また産業用としては半導体・電子部品など精密機器の洗浄水、食品工場などの各種工場での洗浄水に利用されている。
【０００３】
機能水をエンジンの燃費向上に応用するものとして特許文献１がある。当文献では、エンジンや電気系統に手を加えることなく、また潤滑油等に添加するという手段を講ずるものでもなく、ラジエータに収容される水、あるいはガソリンと混合して燃焼する空気中に含有されている水蒸気としての水等、燃焼効率と関連を持ちうる水自体を改質することにより燃費を改善できるとする。
【先行技術文献】
【特許文献】
【０００４】
【特許文献１】特開２００６−１８１５３２
【発明の概要】
【発明が解決しようとする課題】
【０００５】
前記特許文献１はラジエータに収容される水等の改質により燃費向上を狙うものであるが、本願の発明は改質された機能水をガソリンに混合することにより直接的に燃費向上の結果を得るものである。
【課題を解決するための手段】
【０００６】
請求項１に記載の第一発明は、ガソリン添加剤を製造する方法であって、翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部とを、各粉末成分の混合量誤差がプラスマイナス１０％以内となる混合比にて混合することにより鉱石等粉混合体を製造する鉱石等粉混合体製造第一工程と、前記鉱石等粉混合体を容器に詰入する鉱石等粉混合体詰入第二工程と、前記容器に近接させて配置された水槽に水を所定時間保持して機能水を製造する機能水製造第三工程と、前記機能水１００部と、トレハロース８部と、エタノール３０部と、日本酒２０部と、白砂糖８部と、葡萄酒６部と、葡萄糖３部と、酢１部と、カルシウム０．５部とを、各成分の混合量誤差がプラスマイナス１０％以内の混合比にて混合することによりガソリン添加剤を製造するガソリン添加剤製造最終工程からなるガソリン添加剤製造方法、に関する。
【０００７】
請求項２に記載の第二発明は、ガソリン添加剤を製造する方法であって、翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部と、蛇紋岩を粉末とした蛇紋岩粉末２８０部と、瑪瑙を粉末とした瑪瑙粉末２８０部と、黒雲母を粉末とした黒雲母粉末２８０部と、アマゾナイトを粉末としたアマゾナイト粉末２８０部と、ペリドットを粉末としたペリドット粉末２８０部と、トパーズを粉末としたトパーズ粉末２６０部と、シラスを粉末としたシラス粉末２４０部と、アルミナを粉末としたアルミナ粉末２３０部と、ジルコンを粉末としたジルコン粉末２００部とを、各粉末成分の混合量誤差がプラスマイナス１０％以内となる混合比にて混合することにより鉱石等粉混合体を製造する鉱石等粉混合体製造第一工程と、前記鉱石等粉混合体を容器に詰入する鉱石等粉混合体詰入第二工程と、前記容器に近接させて配置された水槽に水を所定時間保持して機能水を製造する機能水製造第三工程と、前記機能水１００部と、トレハロース８部と、エタノール３０部と、日本酒２０部と、白砂糖８部と、葡萄酒６部と、葡萄糖３部と、酢１部と、カルシウム０．５部とを、各成分の混合量誤差がプラスマイナス１０％以内の混合比にて混合することによりガソリン添加剤を製造するガソリン添加剤製造最終工程からなるガソリン添加剤製造方法、に関する。
【０００８】
請求項３に記載の第三発明は、ガソリン添加剤を製造する方法であって、翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部と、蛇紋岩を粉末とした蛇紋岩粉末２８０部と、瑪瑙を粉末とした瑪瑙粉末２８０部と、黒雲母を粉末とした黒雲母粉末２８０部と、アマゾナイトを粉末としたアマゾナイト粉末２８０部と、ペリドットを粉末としたペリドット粉末２８０部と、トパーズを粉末としたトパーズ粉末２６０部と、シラスを粉末としたシラス粉末２４０部と、アルミナを粉末としたアルミナ粉末２３０部と、ジルコンを粉末としたジルコン粉末２００部と、白雲母を粉末とした白雲母粉末２００部と、アランダムを粉末としたアランダム粉末１８０部と、菊花石を粉末とした菊花石粉末１８０部と、ロードナイトを粉末としたロードナイト粉末１８０部と、カオリンを粉末としたカオリン粉末１８０部と、コーライトを粉末としたコーライト粉末１８０部と、タイガーアイを粉末としたタイガーアイ粉末１８０部と、シリコンウエハを粉末としたシリコンウエハ粉末１６０部と、大理石を粉末とした大理石粉末１５０部とを、各粉末成分の混合量誤差がプラスマイナス１０％以内となる混合比にて混合することにより鉱石等粉混合体を製造する鉱石等粉混合体製造第一工程と、前記鉱石等粉混合体を容器に詰入する鉱石等粉混合体詰入第二工程と、前記容器に近接させて配置された水槽に水を所定時間保持して機能水を製造する機能水製造第三工程と、前記機能水１００部と、トレハロース８部と、エタノール３０部と、日本酒２０部と、白砂糖８部と、葡萄酒６部と、葡萄糖３部と、酢１部と、カルシウム０．５部とを、各成分の混合量誤差がプラスマイナス１０％以内の混合比にて混合することによりガソリン添加剤を製造するガソリン添加剤製造最終工程からなるガソリン添加剤製造方法、に関する。
【０００９】
請求項４に記載の第四発明は、ガソリン添加剤を製造する方法であって、翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部と、蛇紋岩を粉末とした蛇紋岩粉末２８０部と、瑪瑙を粉末とした瑪瑙粉末２８０部と、黒雲母を粉末とした黒雲母粉末２８０部と、アマゾナイトを粉末としたアマゾナイト粉末２８０部と、ペリドットを粉末としたペリドット粉末２８０部と、トパーズを粉末としたトパーズ粉末２６０部と、シラスを粉末としたシラス粉末２４０部と、アルミナを粉末としたアルミナ粉末２３０部と、ジルコンを粉末としたジルコン粉末２００部と、白雲母を粉末とした白雲母粉末２００部と、アランダムを粉末としたアランダム粉末１８０部と、菊花石を粉末とした菊花石粉末１８０部と、ロードナイトを粉末としたロードナイト粉末１８０部と、カオリンを粉末としたカオリン粉末１８０部と、コーライトを粉末としたコーライト粉末１８０部と、タイガーアイを粉末としたタイガーアイ粉末１８０部と、シリコンウエハを粉末としたシリコンウエハ粉末１６０部と、大理石を粉末とした大理石粉末１５０部と、蛍石を粉末とした蛍石粉末１５０部と、ヘマタイトを粉末としたヘマタイト粉末１５０部と、ニッケルを粉末としたニッケル粉末１５０部と、水晶を粉末とした水晶粉末１３０部と、マンガンを粉末としたマンガン粉末１３０部と、珪石を粉末とした珪石粉末１２０部と、オニキスを粉末としたオニキス粉末１２０部と、麦飯石を粉末とした麦飯石１００部と、珪藻土を粉末とした珪藻土粉末１００部とを、各粉末成分の混合量誤差がプラスマイナス１０％以内となる混合比にて混合することにより鉱石等粉混合体を製造する鉱石等粉混合体製造第一工程と、前記鉱石等粉混合体を容器に詰入する鉱石等粉混合体詰入第二工程と、前記容器に近接させて配置された水槽に水を所定時間保持して機能水を製造する機能水製造第三工程と、前記機能水１００部と、トレハロース８部と、エタノール３０部と、日本酒２０部と、白砂糖８部と、葡萄酒６部と、葡萄糖３部と、酢１部と、カルシウム０．５部とを、各成分の混合量誤差がプラスマイナス１０％以内の混合比にて混合することによりガソリン添加剤を製造するガソリン添加剤製造最終工程からなるガソリン添加剤製造方法、に関する。
【００１０】
請求項５に記載の第五発明は、ガソリン添加剤を製造する方法であって、翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部と、蛇紋岩を粉末とした蛇紋岩粉末２８０部と、瑪瑙を粉末とした瑪瑙粉末２８０部と、黒雲母を粉末とした黒雲母粉末２８０部と、アマゾナイトを粉末としたアマゾナイト粉末２８０部と、ペリドットを粉末としたペリドット粉末２８０部と、トパーズを粉末としたトパーズ粉末２６０部と、シラスを粉末としたシラス粉末２４０部と、アルミナを粉末としたアルミナ粉末２３０部と、ジルコンを粉末としたジルコン粉末２００部と、白雲母を粉末とした白雲母粉末２００部と、アランダムを粉末としたアランダム粉末１８０部と、菊花石を粉末とした菊花石粉末１８０部と、ロードナイトを粉末としたロードナイト粉末１８０部と、カオリンを粉末としたカオリン粉末１８０部と、コーライトを粉末としたコーライト粉末１８０部と、タイガーアイを粉末としたタイガーアイ粉末１８０部と、シリコンウエハを粉末としたシリコンウエハ粉末１６０部と、大理石を粉末とした大理石粉末１５０部と、蛍石を粉末とした蛍石粉末１５０部と、ヘマタイトを粉末としたヘマタイト粉末１５０部と、ニッケルを粉末としたニッケル粉末１５０部と、水晶を粉末とした水晶粉末１３０部と、マンガンを粉末としたマンガン粉末１３０部と、珪石を粉末とした珪石粉末１２０部と、オニキスを粉末としたオニキス粉末１２０部と、麦飯石を粉末とした麦飯石１００部と、珪藻土を粉末とした珪藻土粉末１００部と、松脂を粉末とした松脂粉末９０部と、ボルダーオパールを粉末としたボルダーオパール粉末８０部と、活性炭を粉末とした活性炭粉末８０部と、滋賀白を粉末とした滋賀石粉末８０部と、カーボランダムを粉末としたカーボンランダム粉末６０部と、金を粉末とした金粉末５０部と、コージェライトを粉末としたコージュライト粉末４０部と、アイオライトを粉末としたアイオライト粉末３０部と、ルビーを粉末としたルビー粉末２４部とを、各粉末成分の混合量誤差がプラスマイナス１０％以内となる混合比にて混合することにより鉱石等粉混合体を製造する鉱石等粉混合体製造第一工程と、前記鉱石等粉混合体を容器に詰入する鉱石等粉混合体詰入第二工程と、前記容器に近接させて配置された水槽に水を所定時間保持して機能水を製造する機能水製造第三工程と、前記機能水１００部と、トレハロース８部と、エタノール３０部と、日本酒２０部と、白砂糖８部と、葡萄酒６部と、葡萄糖３部と、酢１部と、カルシウム０．５部とを、各成分の混合量誤差がプラスマイナス１０％以内の混合比にて混合することによりガソリン添加剤を製造するガソリン添加剤製造最終工程からなるガソリン添加剤製造方法、に関する。
【００１１】
請求項６に記載の第六発明は、ガソリン添加剤を製造する方法であって、翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部と、蛇紋岩を粉末とした蛇紋岩粉末２８０部と、瑪瑙を粉末とした瑪瑙粉末２８０部と、黒雲母を粉末とした黒雲母粉末２８０部と、アマゾナイトを粉末としたアマゾナイト粉末２８０部と、ペリドットを粉末としたペリドット粉末２８０部と、トパーズを粉末としたトパーズ粉末２６０部と、シラスを粉末としたシラス粉末２４０部と、アルミナを粉末としたアルミナ粉末２３０部と、ジルコンを粉末としたジルコン粉末２００部と、白雲母を粉末とした白雲母粉末２００部と、アランダムを粉末としたアランダム粉末１８０部と、菊花石を粉末とした菊花石粉末１８０部と、ロードナイトを粉末としたロードナイト粉末１８０部と、カオリンを粉末としたカオリン粉末１８０部と、コーライトを粉末としたコーライト粉末１８０部と、タイガーアイを粉末としたタイガーアイ粉末１８０部と、シリコンウエハを粉末としたシリコンウエハ粉末１６０部と、大理石を粉末とした大理石粉末１５０部と、蛍石を粉末とした蛍石粉末１５０部と、ヘマタイトを粉末としたヘマタイト粉末１５０部と、ニッケルを粉末としたニッケル粉末１５０部と、水晶を粉末とした水晶粉末１３０部と、マンガンを粉末としたマンガン粉末１３０部と、珪石を粉末とした珪石粉末１２０部と、オニキスを粉末としたオニキス粉末１２０部と、麦飯石を粉末とした麦飯石１００部と、珪藻土を粉末とした珪藻土粉末１００部と、松脂を粉末とした松脂粉末９０部と、ボルダーオパールを粉末としたボルダーオパール粉末８０部と、活性炭を粉末とした活性炭粉末８０部と、滋賀白を粉末とした滋賀石粉末８０部と、カーボランダムを粉末としたカーボンランダム粉末６０部と、金を粉末とした金粉末５０部と、コージェライトを粉末としたコージュライト粉末４０部と、アイオライトを粉末としたアイオライト粉末３０部と、ルビーを粉末としたルビー粉末２４部と、亜鉛を粉末とした亜鉛粉末９０部と、白墨を粉末とした白墨粉末８０部と、酸化白金を粉末とした酸化白金粉末８０部とを、各粉末成分の混合量誤差がプラスマイナス１０％以内となる混合比にて混合することにより鉱石等粉混合体を製造する鉱石等粉混合体製造第一工程と、前記鉱石等粉混合体を容器に詰入する鉱石等粉混合体詰入第二工程と、前記容器に近接させて配置された水槽に水を所定時間保持して機能水を製造する機能水製造第三工程と、前記機能水１００部と、トレハロース８部と、エタノール３０部と、日本酒２０部と、白砂糖８部と、葡萄酒６部と、葡萄糖３部と、酢１部と、カルシウム０．５部とを、各成分の混合量誤差がプラスマイナス１０％以内の混合比にて混合することによりガソリン添加剤を製造するガソリン添加剤製造最終工程からなるガソリン添加剤製造方法、に関する。
【００１２】
請求項７に記載の第七発明は、翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部とが、各粉末成分の混合量誤差がプラスマイナス１０％以内となる混合比にて混合されてなる鉱石等粉混合体を詰入した容器に近接させて配置された水槽に水を所定時間保持して得た機能水１００部と、トレハロース８部と、エタノール３０部と、日本酒２０部と、白砂糖８部と、葡萄酒６部と、葡萄糖３部と、酢１部と、カルシウム０．５部とを、各成分の混合量誤差がプラスマイナス１０％以内の混合比にて混合してなるガソリン添加剤、、に関する。
【００１３】
請求項８に記載の第八発明は、翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部と、蛇紋岩を粉末とした蛇紋岩粉末２８０部と、瑪瑙を粉末とした瑪瑙粉末２８０部と、黒雲母を粉末とした黒雲母粉末２８０部と、アマゾナイトを粉末としたアマゾナイト粉末２８０部と、ペリドットを粉末としたペリドット粉末２８０部と、トパーズを粉末としたトパーズ粉末２６０部と、シラスを粉末としたシラス粉末２４０部と、アルミナを粉末としたアルミナ粉末２３０部と、ジルコンを粉末としたジルコン粉末２００部とが、各粉末成分の混合量誤差がプラスマイナス１０％以内となる混合比にて混合されてなる鉱石等粉混合体を詰入した容器に近接させて配置された水槽に水を所定時間保持して得た機能水１００部と、トレハロース８部と、エタノール３０部と、日本酒２０部と、白砂糖８部と、葡萄酒６部と、葡萄糖３部と、酢１部と、カルシウム０．５部とを、各成分の混合量誤差がプラスマイナス１０％以内の混合比にて混合してなるガソリン添加剤、に関する。
【００１４】
請求項９に記載の第九発明は、翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部と、蛇紋岩を粉末とした蛇紋岩粉末２８０部と、瑪瑙を粉末とした瑪瑙粉末２８０部と、黒雲母を粉末とした黒雲母粉末２８０部と、アマゾナイトを粉末としたアマゾナイト粉末２８０部と、ペリドットを粉末としたペリドット粉末２８０部と、トパーズを粉末としたトパーズ粉末２６０部と、シラスを粉末としたシラス粉末２４０部と、アルミナを粉末としたアルミナ粉末２３０部と、ジルコンを粉末としたジルコン粉末２００部と、白雲母を粉末とした白雲母粉末２００部と、アランダムを粉末としたアランダム粉末１８０部と、菊花石を粉末とした菊花石粉末１８０部と、ロードナイトを粉末としたロードナイト粉末１８０部と、カオリンを粉末としたカオリン粉末１８０部と、コーライトを粉末としたコーライト粉末１８０部と、タイガーアイを粉末としたタイガーアイ粉末１８０部と、シリコンウエハを粉末としたシリコンウエハ粉末１６０部と、大理石を粉末とした大理石粉末１５０部とが、各粉末成分の混合量誤差がプラスマイナス１０％以内となる混合比にて混合されてなる鉱石等粉混合体を詰入した容器に近接させて配置された水槽に水を所定時間保持して得た機能水１００部と、トレハロース８部と、エタノール３０部と、日本酒２０部と、白砂糖８部と、葡萄酒６部と、葡萄糖３部と、酢１部と、カルシウム０．５部とを、各成分の混合量誤差がプラスマイナス１０％以内の混合比にて混合してなるガソリン添加剤、に関する。
【００１５】
請求項１０に記載の第十発明は、翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部と、蛇紋岩を粉末とした蛇紋岩粉末２８０部と、瑪瑙を粉末とした瑪瑙粉末２８０部と、黒雲母を粉末とした黒雲母粉末２８０部と、アマゾナイトを粉末としたアマゾナイト粉末２８０部と、ペリドットを粉末としたペリドット粉末２８０部と、トパーズを粉末としたトパーズ粉末２６０部と、シラスを粉末としたシラス粉末２４０部と、アルミナを粉末としたアルミナ粉末２３０部と、ジルコンを粉末としたジルコン粉末２００部と、白雲母を粉末とした白雲母粉末２００部と、アランダムを粉末としたアランダム粉末１８０部と、菊花石を粉末とした菊花石粉末１８０部と、ロードナイトを粉末としたロードナイト粉末１８０部と、カオリンを粉末としたカオリン粉末１８０部と、コーライトを粉末としたコーライト粉末１８０部と、タイガーアイを粉末としたタイガーアイ粉末１８０部と、シリコンウエハを粉末としたシリコンウエハ粉末１６０部と、大理石を粉末とした大理石粉末１５０部と、蛍石を粉末とした蛍石粉末１５０部と、ヘマタイトを粉末としたヘマタイト粉末１５０部と、ニッケルを粉末としたニッケル粉末１５０部と、水晶を粉末とした水晶粉末１３０部と、マンガンを粉末としたマンガン粉末１３０部と、珪石を粉末とした珪石粉末１２０部と、オニキスを粉末としたオニキス粉末１２０部と、麦飯石を粉末とした麦飯石１００部と、珪藻土を粉末とした珪藻土粉末１００部とが、各粉末成分の混合量誤差がプラスマイナス１０％以内となる混合比にて混合されてなる鉱石等粉混合体を詰入した容器に近接させて配置された水槽に水を所定時間保持して得た機能水１００部と、トレハロース８部と、エタノール３０部と、日本酒２０部と、白砂糖８部と、葡萄酒６部と、葡萄糖３部と、酢１部と、カルシウム０．５部とを、各成分の混合量誤差がプラスマイナス１０％以内の混合比にて混合してなるガソリン添加剤、に関する。
【００１６】
請求項１１に記載の第十一発明は、翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部と、蛇紋岩を粉末とした蛇紋岩粉末２８０部と、瑪瑙を粉末とした瑪瑙粉末２８０部と、黒雲母を粉末とした黒雲母粉末２８０部と、アマゾナイトを粉末としたアマゾナイト粉末２８０部と、ペリドットを粉末としたペリドット粉末２８０部と、トパーズを粉末としたトパーズ粉末２６０部と、シラスを粉末としたシラス粉末２４０部と、アルミナを粉末としたアルミナ粉末２３０部と、ジルコンを粉末としたジルコン粉末２００部と、白雲母を粉末とした白雲母粉末２００部と、アランダムを粉末としたアランダム粉末１８０部と、菊花石を粉末とした菊花石粉末１８０部と、ロードナイトを粉末としたロードナイト粉末１８０部と、カオリンを粉末としたカオリン粉末１８０部と、コーライトを粉末としたコーライト粉末１８０部と、タイガーアイを粉末としたタイガーアイ粉末１８０部と、シリコンウエハを粉末としたシリコンウエハ粉末１６０部と、大理石を粉末とした大理石粉末１５０部と、蛍石を粉末とした蛍石粉末１５０部と、ヘマタイトを粉末としたヘマタイト粉末１５０部と、ニッケルを粉末としたニッケル粉末１５０部と、水晶を粉末とした水晶粉末１３０部と、マンガンを粉末としたマンガン粉末１３０部と、珪石を粉末とした珪石粉末１２０部と、オニキスを粉末としたオニキス粉末１２０部と、麦飯石を粉末とした麦飯石１００部と、珪藻土を粉末とした珪藻土粉末１００部と、松脂を粉末とした松脂粉末９０部と、ボルダーオパールを粉末としたボルダーオパール粉末８０部と、活性炭を粉末とした活性炭粉末８０部と、滋賀白を粉末とした滋賀石粉末８０部と、カーボランダムを粉末としたカーボンランダム粉末６０部と、金を粉末とした金粉末５０部と、コージェライトを粉末としたコージュライト粉末４０部と、アイオライトを粉末としたアイオライト粉末３０部と、ルビーを粉末としたルビー粉末２４部とが、各粉末成分の混合量誤差がプラスマイナス１０％以内となる混合比にて混合されてなる鉱石等粉混合体を詰入した容器に近接させて配置された水槽に水を所定時間保持して得た機能水１００部と、トレハロース８部と、エタノール３０部と、日本酒２０部と、白砂糖８部と、葡萄酒６部と、葡萄糖３部と、酢１部と、カルシウム０．５部とを、各成分の混合量誤差がプラスマイナス１０％以内の混合比にて混合してなるガソリン添加剤、に関する。
【００１７】
請求項１２に記載の第十二発明は、翡翠を粉末とした翡翠粉末４８０部と、琥珀を粉末とした琥珀粉末４００部と、カーネリアンを粉末としたカーネリアン粉末４００部と、紫水晶を粉末とした紫水晶粉末３５０部と、珪化木を粉末とした珪化木粉末３００部と、薬石を粉末とした薬石粉末３００部と、紅水晶を粉末とした紅水晶粉末３００部と、真砂を粉末とした真砂粉末３００部と、マラカイトを粉末としたマラカイト粉末３００部と、蛇紋岩を粉末とした蛇紋岩粉末２８０部と、瑪瑙を粉末とした瑪瑙粉末２８０部と、黒雲母を粉末とした黒雲母粉末２８０部と、アマゾナイトを粉末としたアマゾナイト粉末２８０部と、ペリドットを粉末としたペリドット粉末２８０部と、トパーズを粉末としたトパーズ粉末２６０部と、シラスを粉末としたシラス粉末２４０部と、アルミナを粉末としたアルミナ粉末２３０部と、ジルコンを粉末としたジルコン粉末２００部と、白雲母を粉末とした白雲母粉末２００部と、アランダムを粉末としたアランダム粉末１８０部と、菊花石を粉末とした菊花石粉末１８０部と、ロードナイトを粉末としたロードナイト粉末１８０部と、カオリンを粉末としたカオリン粉末１８０部と、コーライトを粉末としたコーライト粉末１８０部と、タイガーアイを粉末としたタイガーアイ粉末１８０部と、シリコンウエハを粉末としたシリコンウエハ粉末１６０部と、大理石を粉末とした大理石粉末１５０部と、蛍石を粉末とした蛍石粉末１５０部と、ヘマタイトを粉末としたヘマタイト粉末１５０部と、ニッケルを粉末としたニッケル粉末１５０部と、水晶を粉末とした水晶粉末１３０部と、マンガンを粉末としたマンガン粉末１３０部と、珪石を粉末とした珪石粉末１２０部と、オニキスを粉末としたオニキス粉末１２０部と、麦飯石を粉末とした麦飯石１００部と、珪藻土を粉末とした珪藻土粉末１００部と、松脂を粉末とした松脂粉末９０部と、ボルダーオパールを粉末としたボルダーオパール粉末８０部と、活性炭を粉末とした活性炭粉末８０部と、滋賀白を粉末とした滋賀石粉末８０部と、カーボランダムを粉末としたカーボンランダム粉末６０部と、金を粉末とした金粉末５０部と、コージェライトを粉末としたコージュライト粉末４０部と、アイオライトを粉末としたアイオライト粉末３０部と、ルビーを粉末としたルビー粉末２４部と、亜鉛を粉末とした亜鉛粉末９０部と、白墨を粉末とした白墨粉末８０部と、酸化白金を粉末とした酸化白金粉末８０部とが、各粉末成分の混合量誤差がプラスマイナス１０％以内となる混合比にて混合されてなる鉱石等粉混合体を詰入した容器に近接させて配置された水槽に水を所定時間保持して得た機能水１００部と、トレハロース８部と、エタノール３０部と、日本酒２０部と、白砂糖８部と、葡萄酒６部と、葡萄糖３部と、酢１部と、カルシウム０．５部とを、各成分の混合量誤差がプラスマイナス１０％以内の混合比にて混合してなるガソリン添加剤、に関する。
【００１８】
請求項１３に記載の第十三発明は、請求項１から６に記載のガソリン添加剤製造方法の一のガソリン添加剤製造方法により製造されたガソリン添加剤３部と、ガソリン１００部とを、各成分の混合量誤差がプラスマイナス１０％以内の混合比にて混合する添加剤入りガソリン製造方法、に関する。
請求項１４に記載の第十四発明は、請求項７から１２に記載のガソリン添加剤の一のガソリン添加剤３部と、ガソリン１００部とを、各成分の混合量誤差がプラスマイナス１０％以内の混合比にて混合してなる添加剤入りガソリン、に関する。
【発明の効果】
【００１９】
本願の発明は改質された機能水をガソリンに混合することにより直接的に燃費向上の結果を得るものである。
【図面の簡単な説明】
【００２０】
【図１】実施例１の概略図
【図２】図１のA−A'における容器及び水槽の断面図
【図３】実施例１の容器の外周に微電流を流すコイルを巻きつけた図
【図４】第一発明のガソリン添加剤製造方法の流れを表す工程図
【発明を実施するための形態】
【００２１】
以下、本件発明の実施の形態について、添付図面を用いて説明する。なお、本件発明は、これら実施例に何ら限定されるべきものではなく、その要旨を逸脱しない範囲において、種々なる態様で実施し得る。
【００２２】
実施例１は第一発明から第六発明に関する。実施例２は第七発明から第十二発明に関する。実施例３は第十三発明に関する。実施例４は第十四発明に関する。
【実施例１】
【００２３】
<実施例１：概要>
実施例１は、ガソリン添加剤の製造方法に関する。図１は、実施例１の概略図である。まず、鉱石等粉混合体製造第一工程では、鉱石等０１０１を粉末０１０２として所定の混合比にて混合し、鉱石等粉混合体０１０３を得る。鉱石等粉混合体詰入第二工程では、鉱石等粉混合体を容器０１０５に詰入する。機能水製造第三工程では、水０１０４を前記容器に近接させて配置された水槽０１０６に所定時間保持する。最後に、ガソリン添加剤製造最終工程では、所定時間経過後水槽より取り出して得た機能水０１０７にトレハロースその他０１０８を所定の割合にて混合してガソリン添加剤０１０９を得る。
【００２４】
<第一発明：構成>
第一発明のガソリン添加剤製造方法は、鉱石等粉混合体製造第一工程と、鉱石等粉混合体詰入第二工程と、機能水製造第三工程と、ガソリン添加剤製造最終工程とからなる。
【００２５】
まず、「鉱石等粉混合体製造第一工程」では、鉱石等の粉を所定の混合比にて混合することにより鉱石等粉混合体を製造する。
【００２６】
表１は第一発明の鉱石等粉混合体製造第一工程における、混合する鉱石等の名称及びその混合比率をあらわす。各粉末成分の混合比は、翡翠４８０部に対して、琥珀４００部、カーネリアン４００部、紫水晶３５０部、珪化木３００部、薬石３００部、紅水晶３００部、真砂３００部、マラカイト３００部である。
【表１】
2011105815.tif 000003
【００２７】
なお、各粉末成分の混合量誤差は、それぞれプラスマイナス１０％までを許容誤差とする。これは、下記表３乃至７に記載の粉末成分による鉱石等粉混合体においても同様である。
【００２８】
ここで、「翡翠」は硬玉（ヒスイ輝石、ｊａｄｅｉｔｅ）のことである。「琥珀」（ａｍｂｅｒ）は木の樹脂が地中に埋没し長い歳月を経て固化した宝石である。「カーネリアン」（ｃａｒｎｅｌｉａｎ）は紅玉髄ともいう。「珪化木」は植物、主に樹木の化石であり、樹木の種類は特に限定しない。木質材を珪酸処理して人工的に製造した珪化木であってもよい。「薬石」とは、主に新潟県の糸魚川周辺で採取できる流紋岩である。「真砂」とは、真砂土とも呼ばれ、花崗岩が風化したものである。「マラカイト」（ｍａｌａｃｈｉｔｅ）は、孔雀石ともいう。「紫水晶」（ａｍｅｔｈｙｓｔ）と「紅水晶」（ｒｏｓｅ  ｑｕａｒｔｚ）はいずれも鉱物学上の石英に分類され、主要構成元素は同じである。従って、上記混合比において、紫水晶及び／又は紅水晶の合計混合比が６５０部であれば、それぞれの混合比を変更してもよい。更には紫水晶及び／又は紅水晶に代えて水晶を用いてもよい。これらは、下記表３乃至７に記載の鉱石等粉混合体においても同様である。
【００２９】
「鉱石等粉混合体詰入第二工程」では、上記鉱石等粉混合体を容器に詰入する。容器は図１にあるように水を貯めるための水槽を取り囲む形状であることが望ましい。水に対する効果作用を高めるためである。
【００３０】
「機能水製造第三工程」では、前記容器に近接させて配置された水槽に水を所定時間保持して機能水を得る。水槽はなるべく鉱石等粉混合体の詰入された容器と近接して配置されることが望ましい。水が、鉱石等粉混合体からの作用を効率よく受けることができるからである。静置する時間は、水量や、鉱石等粉混合体の成分、気温等によって適宜決定するが、一時間程度を目安とする。
【００３１】
図２は、図１のA−A'における容器及び水槽の断面図である。容器０２０１と水槽０２０２の間に鉱石等粉混合体０２０３が詰入されている。また水槽内部には水０２０４が保持されている。
【００３２】
なお、図３に示すように、容器０３０２の外周に微電流を流すコイル０３０３を巻きつけてもよい。かかる場合、水槽０３０１水質制御により大きな効果が得られる。また、保持部に保持された鉱石等粉混合体を温めても同様に大きな効果が得られる。
【００３３】
「ガソリン添加剤製造最終工程」では、前記機能水に他の成分を混合して最終的にガソリン添加剤を得る。混合する成分の名称と混合比は以下のとおりである。
【表２】
2011105815.tif 000004
【００３４】
「機能水」は、前記機能水製造第三工程で得た機能水である。「トレハロース」とは、グルコースが１，１−グリコシド結合してできた二糖の一種である。「エタノール」はエチルアルコールのことである。「日本酒」とは、米を発酵させて作る醸造酒をいう。「砂糖」はサトウキビ等を原料とする糖をいい、主にショ糖をいう。「葡萄酒」は、葡萄の果汁を発酵させたアルコール飲料をいう。「葡萄糖」はグルコースのことである。
【００３５】
なお、表２の各成分の混合量誤差は、それぞれプラスマイナス１０％までを許容誤差とする。
【００３６】
図４は、第一発明のガソリン添加剤製造方法の流れを表する工程図である。まず、鉱石等粉混合体製造第一工程（ステップ０４０１）では、表１の各粉末成分を表１の混合量からの誤差がプラスマイナス１０％以内となる混合比にて混合することにより、鉱石等粉混合体を製造する。第二に、鉱石等粉混合体詰入第二工程（ステップ０４０２）では、鉱石等粉混合体を容器に詰入する。第三に、機能水製造第三工程（ステップ０４０３）では、容器に近接させて配置された水槽に水を所定時間保持して機能水を製造する。最後に、ガソリン添加剤製造最終工程（ステップ０４０４）では、表２の各成分を表２の混合量からの誤差がプラスマイナス１０％以内の混合比にて混合することにより、ガソリン添加剤を製造する。
【００３７】
<第二発明：構成>
第二発明は、鉱石等粉混合体に含まれる粉末成分の種類及び混合比率においてのみ第一発明と異なり、他は第一発明と同様である。以下では、第二発明の鉱石等粉混合体に含まれる粉末成分の種類及び混合比率についてのみ説明する。
【００３８】
表３は第二発明の鉱石等粉混合体製造第一工程における、混合する鉱石等の名称及びその混合比率をあらわす。各粉末成分の混合比は、翡翠４８０部に対して、琥珀４００部、カーネリアン４００部、紫水晶３５０部、珪化木３００部、薬石３００部、紅水晶３００部、真砂３００部、マラカイト３００部、蛇紋岩２８０部、瑪瑙２８０部、黒雲母２８０部、アマゾナイト２８０部、ペリドット２８０部、トパーズ２６０部、シラス２４０部、アルミナ２３０部、ジルコン２００部である。
【表３】
2011105815.tif 000005
【００３９】
ここで、「蛇紋岩」（ｓｅｒｐｅｎｔｉｎｉｔｅ）は、変性岩又は火成岩に一種であり、蛇紋石（ｓｅｒｐｅｎｔｉｎｅ）からなる。「瑪瑙」（ａｇａｔｅ）は縞状の玉髄の一種で蛋白石、石英、玉髄が層状に岩石の空洞中に沈殿してできた鉱物の変種である。「黒雲母」（ｂｉｏｔｉｔｅ）はケイ酸塩鉱物の一種で、金雲母と鉄雲母との中間組成の固溶体である。「アマゾナイト」（ａｍａｚｏｎｉｔｅ）は微斜長石のうち青緑色のものをいい、主要構成元素はムーンストン（月長石）と同じである。よって、上記混合比において、アマゾナイト２８０部に代えて、微斜長石２８０部又はムーンストン２８０部としてもよい。「ペリドット」（ｐｅｒｉｄｏｔ）は鉱物学上はかんらん石（ｏｌｉｖｉｎｅ）に含まれる。従って、上記混合比において、ペリドット２８０部に代えて、かんらん石２８０部としてもよい。「トパーズ」（ｔｏｐａｚ）は和名を黄玉といい、石英よりも少し硬いケイ酸塩鉱物よりなる宝石である。「シラス」とは、軽石質火山灰堆積物の総称であり、主に九州地方で採取できる。「アルミナ」はアルミニウムの酸化物である。「ジルコン」（ｚｉｒｃｏｎ）とは、ジルコニウムの鉱石である。これは、下記表４乃至７に記載の鉱石等粉混合体においても同様である。
【００４０】
第二発明のガソリン添加剤製造方法の流れは図４において表１を表３と読み替えた手順による。
【００４１】
<第三発明：構成>
第三発明は、鉱石等粉混合体に含まれる粉末成分の種類及び混合比率においてのみ第一発明と異なり、他は第一発明と同様である。以下では、第三発明の鉱石等粉混合体に含まれる粉末成分の種類及び混合比率についてのみ説明する。
【００４２】
表４は第三発明の鉱石等粉混合体製造第一工程における、混合する鉱石等の名称及びその混合比率をあらわす。各粉末成分の混合比は、翡翠４８０部に対して、琥珀４００部、カーネリアン４００部、紫水晶３５０部、珪化木３００部、薬石３００部、紅水晶３００部、真砂３００部、マラカイト３００部、蛇紋岩２８０部、瑪瑙２８０部、黒雲母２８０部、アマゾナイト２８０部、ペリドット２８０部、トパーズ２６０部、シラス２４０部、アルミナ２３０部、ジルコン２００部、白雲母２００部、アランダム１８０部、菊花石１８０部、ロードナイト１８０部、カオリン１８０部、コーライト１８０部、タイガーアイ１８０部、シリコンウエハ１６０部、大理石１５０部である。
【表４】
2011105815.tif 000006
【００４３】
ここで、「白雲母」（ｍｕｓｃｏｖｉｔｅ）はケイ酸塩鉱物の一種で花崗岩などに普通に含まれる造岩鉱物である。「アランダム」とは、人造コランダムの名称であり、上記混合比において、アランダム１８０部に代えて、コランダム１８０部としてもよい。「菊花石」とは菊の模様がある石のことで、堆積岩に属す。石灰岩からなり、菊の花の模様は方解石でできている。泥状の石灰質の堆積物が固化の際、内部に亀裂空洞が生じ、滲入した他物質が石化し、模様を描くとされている。「ロードナイト」（ｒｈｏｄｏｎｉｔｅ）はばら輝石ともいう。「カオリン」（ｋａｏｌｉｎｅ）は粘土鉱石である。「コーライト」はアンモライト（ａｍｍｏｌｉｔｅ）ともいう。「タイガーアイ」（ｔｉｇｅｒ'ｓ  ｅｙｅ）とはタイガーズアイのことである。「シリコンウエハ」とは珪素（シリコン）の薄い基板であり、上記混合比において、シリコンウエハ１６０部に代えて、シリコン１６０部としてもよい。「大理石」（ｍａｒｂｌｅ）は石灰岩が接触変成作用を受けてできる変成岩の一種である。これらは、下記表５乃至７に記載の鉱石等粉混合体においても同様である。
【００４４】
第三発明のガソリン添加剤製造方法の流れは図４において表１を表４と読み替えた手順による。
<第四発明：構成>
【００４５】
第四発明は、鉱石等粉混合体に含まれる粉末成分の種類及び混合比率においてのみ第一発明と異なり、他は第一発明と同様である。以下では、第四発明の鉱石等粉混合体に含まれる粉末成分の種類及び混合比率についてのみ説明する。
【００４６】
表５は第四発明の鉱石等粉混合体製造第一工程における、混合する鉱石等の名称及びその混合比率をあらわす。各粉末成分の混合比は、翡翠４８０部に対して、琥珀４００部、カーネリアン４００部、紫水晶３５０部、珪化木３００部、薬石３００部、紅水晶３００部、真砂３００部、マラカイト３００部、蛇紋岩２８０部、瑪瑙２８０部、黒雲母２８０部、アマゾナイト２８０部、ペリドット２８０部、トパーズ２６０部、シラス２４０部、アルミナ２３０部、ジルコン２００部、白雲母２００部、アランダム１８０部、菊花石１８０部、ロードナイト１８０部、カオリン１８０部、コーライト１８０部、タイガーアイ１８０部、シリコンウエハ１６０部、大理石１５０部、蛍石１５０部、ヘマタイト１５０部、ニッケル１５０部、水晶１３０部、マンガン１３０部、珪石１２０部、オニキス１２０部、麦飯石１００部、珪藻土１００部である。
【表５】
2011105815.tif 000007
【００４７】
ここで、「蛍石」（ｆｌｕｏｒｉｔｅ）はフッ化カルシウムを主成分とするハロゲン化鉱物の一種である。「ヘマタイト」（ｈｅｍａｔｉｔｅ）は酸化鉄の鉱物である。「ニッケル」及び「マンガン」は説明を省略する。「水晶」（ｒｏｃｋ  ｃｒｙｓｔａｌ）は大きく結晶した石英であり、紫水晶及び紅水晶と主要構成元素は同じである。従って、上記混合比において、紫水晶及び／又は紅水晶及び／又は水晶の合計混合比が７８０部であれば、それぞれの混合比を変更してもよい。「オニキス」（ｏｎｙｘ）とは、瑪瑙のうち特に平行縞模様のあるものをいい、縞瑪瑙（パンデット・アゲート）、赤瑪瑙（サード・オニキス）、黒瑪瑙（ブラック・オニキス）などがあるが、これらのうちいずれであってもよく、２以上を混合したものでもよい。また、上記混合比において、オニキス及び／又は瑪瑙の合計混合比が４００部であれば、それぞれの混合比を変更してもよい。「珪石」（ｓｉｌｉｃａ  ｓｔｏｎｅ）は石英を代表とするケイ酸質の鉱石である。「麦飯石」は花崗斑岩あるいは石英斑岩で、黄白色のものをいう。「珪藻土」（ｄｉａｔｏｍｉｔｅ）は藻類の一種である珪藻の化石よりなる堆積岩である。これらは、下記表６及び７に記載の鉱石等粉混合体においても同様である。
【００４８】
第四発明のガソリン添加剤製造方法の流れは図４において表１を表５と読み替えた手順による。
【００４９】
<第五発明：構成>
第五発明は、鉱石等粉混合体に含まれる粉末成分の種類及び混合比率においてのみ第一発明と異なり、他は第一発明と同様である。以下では、第五発明の鉱石等粉混合体に含まれる粉末成分の種類及び混合比率についてのみ説明する。
【００５０】
表６は第四発明の鉱石等粉混合体製造第一工程における、混合する鉱石等の名称及びその混合比率をあらわす。各粉末成分の混合比は、翡翠４８０部に対して、琥珀４００部、カーネリアン４００部、紫水晶３５０部、珪化木３００部、薬石３００部、紅水晶３００部、真砂３００部、マラカイト３００部、蛇紋岩２８０部、瑪瑙２８０部、黒雲母２８０部、アマゾナイト２８０部、ペリドット２８０部、トパーズ２６０部、シラス２４０部、アルミナ２３０部、ジルコン２００部、白雲母２００部、アランダム１８０部、菊花石１８０部、ロードナイト１８０部、カオリン１８０部、コーライト１８０部、タイガーアイ１８０部、シリコンウエハ１６０部、大理石１５０部、蛍石１５０部、ヘマタイト１５０部、ニッケル１５０部、水晶１３０部、マンガン１３０部、珪石１２０部、オニキス１２０部、麦飯石１００部、珪藻土１００部、松脂９０部、ボルダーオパール８０部、活性炭８０部、滋賀白８０部、カーボランダム６０部、金５０部、コージェライト４０部、アイオライト３０部、ルビー２４部である。
【表６】
2011105815.tif 000008
【００５１】
ここで、「松脂」はマツ属の木から分泌される天然樹脂をいう。「ボルダーオパール」とはオパールの母岩のことである。「活性炭」は吸着効率を高めるなどの活性化を施した多孔質の炭素を主成分とする物質である。「滋賀白」とは石川県・福井県・岐阜県の３県にまたがる成層火山である白山の噴火の際に滋賀地方に火山灰として堆積し、石化した軽石である。「カーボランダム」は炭素とケイ素の一対一の比率によりなる化合物である。「金」は説明を省略する。「コージェライト」は宝石名として、「アイオライト」と呼ばれることがある。従って、上記混合比において、コージェライト４０部とアイオライト３０部に代えて、コージェライト７０部、又はアイオライト７０部としてもよい。「ルビー」はコランダムのうち美しい赤色の結晶をいう。従って、上記混合比において、ルビー２４部に代えてコランダム２４部としてもよい。これらは、下記表６に記載の鉱石等粉混合体においても同様である。
【００５２】
第五発明のガソリン添加剤製造方法の流れは図４において表１を表６と読み替えた手順による。
【００５３】
<第六発明：構成>
第六発明は、鉱石等粉混合体に含まれる粉末成分の種類及び混合比率においてのみ第一発明と異なり、他は第一発明と同様である。以下では、第六発明の鉱石等粉混合体に含まれる粉末成分の種類及び混合比率についてのみ説明する。
【００５４】
表６は第四発明の鉱石等粉混合体製造第一工程における、混合する鉱石等の名称及びその混合比率をあらわす。各粉末成分の混合比は、翡翠４８０部に対して、琥珀４００部、カーネリアン４００部、紫水晶３５０部、珪化木３００部、薬石３００部、紅水晶３００部、真砂３００部、マラカイト３００部、蛇紋岩２８０部、瑪瑙２８０部、黒雲母２８０部、アマゾナイト２８０部、ペリドット２８０部、トパーズ２６０部、シラス２４０部、アルミナ２３０部、ジルコン２００部、白雲母２００部、アランダム１８０部、菊花石１８０部、ロードナイト１８０部、カオリン１８０部、コーライト１８０部、タイガーアイ１８０部、シリコンウエハ１６０部、大理石１５０部、蛍石１５０部、ヘマタイト１５０部、ニッケル１５０部、水晶１３０部、マンガン１３０部、珪石１２０部、オニキス１２０部、麦飯石１００部、珪藻土１００部、松脂９０部、ボルダーオパール８０部、活性炭８０部、滋賀白８０部、カーボランダム６０部、金５０部、コージェライト４０部、アイオライト３０部、ルビー２４部、亜鉛９０部、白墨８０部、酸化白金８０部である。
【表７】
2011105815.tif 000009
【００５５】
ここで、「白墨」とはいわゆるチョークのことである。「酸化白金」はアダムス触媒のことである。
【００５６】
第六発明のガソリン添加剤製造方法の流れは図４において表１を表７と読み替えた手順による。
【実施例２】
【００５７】
<実施例２：概要>
実施例１がガソリン添加剤の製造方法の発明に関するものであったのに対し、実施例２はガソリン添加剤の物の発明に関する。
【００５８】
<第七発明：構成>
第七発明のガソリン添加剤は第一発明のガソリン添加剤製造方法により製造されたガソリン添加剤に関する。第七発明のガソリン添加剤は、上記表２記載の成分を当該表に記載の混合比で混合したものである。第七発明の表２記載の成分のうち「機能水」は、第一発明において表１の各粉末成分からなる鉱石等粉混合体を詰入された容器に近接して配置された水槽に所定時間保持して得られたものと同様である。
【００５９】
<第八発明：構成>
第八発明のガソリン添加剤は第二発明のガソリン添加剤製造方法により製造されたガソリン添加剤に関する。第八発明のガソリン添加剤は、上記表２記載の成分を当該表に記載の混合比で混合したものである。第八発明の表２記載の成分のうち「機能水」は、第二発明において表３の各粉末成分からなる鉱石等粉混合体を詰入された容器に近接して配置された水槽に所定時間保持して得られたものと同様である。
【００６０】
<第九発明：構成>
第九発明のガソリン添加剤は第三発明のガソリン添加剤製造方法により製造されたガソリン添加剤に関する。第九発明のガソリン添加剤は、上記表２記載の成分を当該表に記載の混合比で混合したものである。第九発明の表２記載の成分のうち「機能水」は、第三発明において表４の各粉末成分からなる鉱石等粉混合体を詰入された容器に近接して配置された水槽に所定時間保持して得られたものと同様である。
【００６１】
<第十発明：構成>
第十発明のガソリン添加剤は第四発明のガソリン添加剤製造方法により製造されたガソリン添加剤に関する。第十発明のガソリン添加剤は、上記表２記載の成分を当該表に記載の混合比で混合したものである。第十発明の表２記載の成分のうち「機能水」は、第四発明において表５の各粉末成分からなる鉱石等粉混合体を詰入された容器に近接して配置された水槽に所定時間保持して得られたものと同様である。
【００６２】
<第十一発明：構成>
第十一発明のガソリン添加剤は第五発明のガソリン添加剤製造方法により製造されたガソリン添加剤に関する。第十一発明のガソリン添加剤は、上記表２記載の成分を当該表に記載の混合比で混合したものである。第十一発明の表２記載の成分のうち「機能水」は、第五発明において表６の各粉末成分からなる鉱石等粉混合体を詰入された容器に近接して配置された水槽に所定時間保持して得られたものと同様である。
【００６３】
<第十二発明：構成>
第十二発明のガソリン添加剤は第六発明のガソリン添加剤製造方法により製造されたガソリン添加剤に関する。第十二発明のガソリン添加剤は、上記表２記載の成分を当該表に記載の混合比で混合したものである。第十二発明の表２記載の成分のうち「機能水」は、第六発明において表７の各粉末成分からなる鉱石等粉混合体を詰入された容器に近接して配置された水槽に所定時間保持して得られたものと同様である。
【実施例３】
【００６４】
<実施例３：概要>
実施例３は実施例１のガソリン添加剤製造方法により製造されたガソリン添加剤と、ガソリンとを、所定の混合比にて混合することにより燃費に優れた添加剤入りガソリンを製造する方法に関する。
【００６５】
<第十三発明：構成>
第十三発明の添加剤入りガソリン製造方法は、第一発明から第六発明のガソリン添加剤製造方法のいずれかの製造方法により製造されたガソリン添加剤３部と、ガソリン１００部とを混合することにより行う。なお、各成分の混合量誤差は、それぞれプラスマイナス１０％までを許容誤差とする。
【実施例４】
【００６６】
<実施例４：概要>
実施例４は実施例２のガソリン添加剤と、ガソリンとからなる燃費に優れた添加剤入りガソリンに関する。
【００６７】
<第十四発明：構成>
第十四発明の添加剤入りガソリンは、第七発明から第十二発明のいずれかの発明のガソリン添加剤３部と、ガソリン１００部との混合にて構成される。なお、各成分の混合量誤差は、それぞれプラスマイナス１０％までを許容誤差とする。
【００６８】
〈発明の効果に関する試験〉
本願の発明に係るガソリン添加剤が有する燃費向上の効果について以下のような試験を行った。試験は、財団法人日本自動車輸送技術協会に依頼して平成２１年４月２８日に行われた。自動車排出ガス試験（１０・１５モード）により、燃料消費率（km/L）を計測した。ガソリンに混合した添加剤は第十二発明のガソリン添加剤である。試験に使った自動車はメルセデスベンツS55Lであり、販売時公表１０・１５モード燃費公表値（メルセデスベンツ社公表数値）が6.2km/Lの自動車である。上記試験の結果は6.8km/Lであり(物件提出書により提出した自動車試験証明書参照)、前記公表数値よりも１０％近い燃費向上効果が確認できた。
【符号の説明】
【００６９】
０１０１        鉱石等
０１０２        粉末
０１０３        鉱石等粉混合体
０１０４        水
０１０５        容器
０１０６        水槽
０１０７        機能水
０１０８        トレハロースその他
【図１】
2011105815.tif 000010
【図２】
2011105815.tif 000011
【図３】
2011105815.tif 000012
【図４】
2011105815.tif 000013